(57)【特許請求の範囲】
【請求項１】
開放弁の一次側流路（２）と二次側流路（３）間の連通開口部（５）を開閉すべくダイヤフラム（１０）を介して上面開口状の弁体本体（９）が往復動自在に設けられる開放弁用の弁体の制作方法であって、前記弁体本体（９）の上面開口部（９ａ）にダイヤフラム（１０）の下端部を挿入した後、前記弁体本体（９）の上部内周面に設けた凹部に、ダイヤフラム（１０）の下端部の外周面に設けた凸部を嵌合すると共に、筒状体（１１）をその内側に挿入し、さらに、該筒状体（１１）が挿入された状態で、筒状体（１１）を径方向に拡径して、筒状体（１１）と弁体本体（９）間に前記ダイヤフラム（１０）の下端部を挟着するようにしたことを特徴とする開放弁用の弁体の制作方法。
【発明の詳細な説明】
【０００１】
【発明の属する技術分野】
本発明は、例えば駐車場等に設備される泡消火装置の消火用水配管経路等に組込まれる開放弁の弁体の改良に関する。
【０００２】
【従来の技術】
従来、この種開放弁用の弁体としては、例えば図２に示すようなものが存在する。
【０００３】
即ち、この従来のものは、弁体本体9bの上部内周面に設けたネジ孔36に固定リング37のネジ部38を螺入し、その鍔部39と前記弁体本体9b間にダイヤフラム10ａの端部を挟着したものが存在する。
【０００４】
【発明が解決しようとする課題】
しかしながら、上記従来の弁体は、弁体本体9bやネジ体37のネジ切り加工及びその組立作業が大変厄介であり、このため弁体の製作費用が非常に嵩んでしまうという問題点を有していた。
【０００５】
それ故に、本発明は上記従来の課題を解決するためになされたものであり、弁体の製作作業の簡略化を図ることによ、その製作費用を低減せしめることを課題とする。
【０００６】
【課題を解決するための手段】
即ち、上記課題を解決するために本発明が採った手段は、開放弁の一次側流路２と二次側流路３間の連通開口部５を開閉すべくダイヤフラム１０を介して上面開口状の弁体本体９が往復動自在に設けられる開放弁用の弁体の制作方法であって、前記弁体本体９の上面開口部９ａにダイヤフラム１０の下端部を挿入した後、前記弁体本体９の上部内周面に設けた凹部に、ダイヤフラム１０の下端部の外周面に設けた凸部を嵌合すると共に、筒状体１１をその内側に挿入し、さらに、該筒状体１１が挿入された状態で、筒状体１１を径方向に拡径して、筒状体１１と弁体本体９間に前記ダイヤフラム１０の下端部を挟着するようにした点にある。従って、弁体本体９の上面開口部９ａにダイヤフラム１０の端部を挿入した後、その内側に筒状体１１を挿入した状態で該筒状体１１を拡径せしめて制作されるが、これによりダイヤフラム１０が筒状体１１と弁体本体９間に挟着される。
【０００８】
【発明の実施の形態】
以下、本発明の一実施形態について図面に従って説明する。
【０００９】
図１に於いて、１は一次側流路２及び二次側流路３を水平方向に形成し、その相互連通位置に弁座４を開設して連通開口部５を形成したケーシングを示し、弁座４の内壁には環状のバルブシート６が嵌着されている。
【００１０】
７は弁座４に対面してその上下方向に往復動自在に配設された弁体で、底面にシートパッキン８を固着した上面開口状の弁体本体９と、該弁体本体９の上端部に取着されるゴム製のダイヤフラム10と、上端に鍔部11ａを有して前記弁体本体９の上面開口部9aに挿入される薄肉の筒状体11とからなり、該筒状体11を拡径させることにより、この筒状体11と弁体本体９間にダイヤフラム10の下端部が挟着される。
【００１１】
12は前記ケーシング１の上部に装着したカバー体で、該カバー体12とケーシング１間には前記ダイヤフラム10の上端部が挟着されており、また弁体７とカバー体12間には隔室状の圧力室13が形成されてなる。14はカバー体12に形成された制御口で、外部に別途設けられた感知用スプリンクラーヘッドや火災感知器と連動した電磁弁（図示せず）等に配管15を介して接続される。
【００１２】
16は弁体本体９の底面及びシートパッキン８に穿設した貫通孔17,18 に挿着されたオリフィスで、下端にネジ部19を有し且つその上方に鍔部20を有すると共に、底面に透孔21が穿設された筒状のオリフィス本体22と、そのネジ部19に弁体本体９の下方側から螺合される中空状のチャッキボルト23とからなり、該チャッキボルト23の底面中央には透孔24が穿設されている。25はオリフィス16内に収納した球状のボールで、26はオリフィス本体22の底面とチャッキボルト23間に介装したポリウレタン等からなるボールシートを示す。27はオリフィス本体22の内周壁間に架設したオリフィスピンで、ボール25の一定以上の上昇を阻止する。28はオリフィス本体22の鍔部20に径方向に穿設した連通孔を示す。
【００１３】
29は前記カバー体12の中央部に穿設した貫通孔30に圧入された筒状のガイドスリーブを示し、その下端部にはオリフィス本体22の上端がスライド自在に嵌入され、且つ上端部には前記貫通孔30の上部側に刻設したネジ部31に螺合されたスピンドル32がスライド可能に嵌入されている。33は弁体７を常時下向きに付勢すべく、該弁体本体９とカバー体12間に配したスプリングを示す。34はシール用のＯリングで、35はカバー体13の凸状部35に着脱自在に外嵌着したキャップである。
【００１４】
本実施形態に係る開放弁は以上のような構成からなるが、かかる開放弁は例えば泡ヘッドに通ずる配管部の途中位置に設けて使用される。即ち、一次側流路２に消火用水が導入された一次配管を接続し、二次側流路３に泡ヘッドに連通する二次配管を接続して使用される。
【００１５】
先ず、一次側流路２に供給される消火用水の一部はチャッキボルト23の透孔24を及びオリフィス本体22の連通孔28を介して圧力室13内に流入し、弁体７は圧力室13内の流体圧及びスプリング33の押圧力により下方に押下げられることとなり、これによって確実な弁閉が行われる。
【００１６】
そして、圧力室13に別途接続された感知スプリンクラーヘッドや火災感知器等が火災を感知すると、圧力室13内の消火用水が制御口14から配管15を介して外部に排出され、弁体押下力が低下することになり、スプリング33の押圧力に抗して弁体７が上昇して弁開放が行われ、一次側流路２側から二次側流路３へと消火用水が一斉に流出して、二次配管を介して泡ヘッドから消火用水の散水が行われる。
【００１７】
また、火災が鎮火した後は、送水を停止させて再度開放弁を元の弁閉初期状態に復帰させるのであるが、ダイヤフラム10の下端部は拡径した筒状体11及びその鍔部11ａにより強固且つ確実に弁体本体９に固定されてなるため、長期間に亘る押下力の付加や弁開閉動作に対しても十分に耐え得る耐久性を有する。
【００１８】
しかも、筒状体11の拡径作業は極めて簡単に行うことができ、且つ弁体本体９にも特に加工は必要がないため、弁体７の一連の製作作業が非常に効率的で且つ安価に行えるという利点がある。
【００１９】
尚、本発明に係る弁体７が適用可能な開放弁は上記実施形態の如き特定事項からなる開放弁に限定されず、その他の開放弁についても幅広く適用可能である。
【００２０】
【発明の効果】
叙述のように、本発明は、筒状体を拡径せしめることにより該筒状体と弁体本体との間にダイヤフラムの端部を挟着して弁体が制作されることになるが、弁体本体や固定リングにネジ加工を施したり、これら螺合により組立てる従来の弁体に比して、前記筒状体の拡径作業は極めて簡単に行うことができ、且つ弁体本体にも特に加工の必要がないため、弁体の一連の制作作業が非常に効率的で且つ安価に行えるという格別の効果を得るに至った。
【００２１】
また、これにより製作された弁体は、そのダイヤフラムが弁体本体に確実且つ強固に固定されるため、長期間の使用にも耐え得る耐久性を有するという効果もある。
【図面の簡単な説明】
【図１】本発明の一実施形態を示す開放弁の正面断面図。
【図２】従来の弁体の正面断面図。
【符号の説明】
２…一次側流路
３…二次側流路
５…連通開口部
９…弁体本体
9a…上面開口部
10…ダイヤフラム
11…筒状体
【図１】
0004280315.tif 000002
【図２】
0004280315.tif 000003